(57)【要約】【課題】  岩盤浴装置および岩盤浴施設内の床材や内装材において、殺菌、抗菌効果を有効に発揮させ、カビや細菌などの発生、増殖を抑えることを可能とする安全で衛生的な岩盤浴装置及び設備を提供することである。【解決手段】  銀イオンが含有された床部が設けられていることを特徴とする岩盤浴装置としたものであり、該床部には銀イオンが担持された無機多孔質材が用いられ、オゾン発生装置やマイナスイオン発声装置を備えることを特徴としたものである。また、カプセル形状の岩盤浴装置とするものである。【選択図】  図２
2008131982.tif 000002
【特許請求の範囲】
【請求項１】
銀イオンが含有された床部が設けられていることを特徴とする岩盤浴装置。
【請求項２】
前記の床部は銀イオンが担持された無機多孔質材が用いられていることを特徴とする請求項１に記載の岩盤浴装置。
【請求項３】
前記の床部に抗菌効果を有する鉱石が用いられていることを特徴とする請求項１または請求項２に記載の岩盤浴装置。
【請求項４】
オゾン発生装置を備えることを特徴とする請求項１から請求項３までのいずれかの項に記載の岩盤浴装置。
【請求項５】
マイナスイオン発生装置を備えることを特徴とする請求項１から請求項４までのいずれかの項記載の岩盤浴装置。
【請求項６】
カプセル形状であることを特徴とする請求項１から請求項５までのいずれかの項に記載の岩盤浴装置。
【発明の詳細な説明】
【技術分野】
【０００１】
本発明は、岩盤浴装置に関するものである。
【背景技術】
【０００２】
近年、岩盤の上に横になり温熱効果を得る岩盤浴施設が注目され、急速に普及してきている。
【０００３】
この岩盤浴は、４０度から４２度に温めた岩盤による床や寝台などに横たわり、遠赤外線により身体を芯から温め、血液の新陳代謝を促進する効果を有するものである。
【０００４】
岩盤浴に関する技術としては、例えば、実用新案登録第３１０５１９３号公報は、加熱部の上に遠赤外線を発するラジウム鉱石板が設けられた岩盤浴台である。
【０００５】
また、実用新案登録第３１１６７８３号公報は、ラジウム鉱石板による岩盤浴ユニット（台）であり、ブラックシリカ、麦飯石、トルマリンなどを併用してマイナスイオン効果を出すものである。
【０００６】
また、実用新案登録第３１０４７８７号公報は、ドームの床部とカバー部のＦＲＰに鉱石（黒鉛珪石、天照石、石英斑岩、及び石墨千枚岩）が含有されている岩盤浴ドームである。
【０００７】
また、実用新案登録第３１０７６６７号公報では、本体に黒鉛珪石、角閃石、石英斑岩、ゼオライト、花崗斑岩、トルマリン、ホルンフェルス、石英片岩、石墨千枚岩の粉末を混入したモルタル使用の岩盤浴ドームであり、オーディオ装置、酸素供給装置、マイナスイオン装置を設けるものが開示されている。
【０００８】
また、特開２００５−７３８００号公報では、岩盤浴設備において、排水口を設け、砂利を洗浄した水を排水でき、温風を砂利部に通して温度を制御でき、ラジウム鉱石、トルマリン鉱石などの天然鉱石を使用するものが開示されている。
【特許文献１】実用新案登録第３１０５１９３号公報
【特許文献２】実用新案登録第３１１６７８３号公報
【特許文献３】実用新案登録第３１０７６６７号公報
【特許文献４】特開２００５−７３８００号公報
【発明の開示】
【発明が解決しようとする課題】
【０００９】
このように、岩盤浴として、温熱効果を高めるために、各種の岩盤浴装置が開発されており、岩盤として遠赤外線やマイナスイオンを放射する鉱石やセラミックスを用いたものが種々開発されている。
【００１０】
岩盤浴の急速な普及とともに、かびや細菌の繁殖などによる安全、衛生面での問題が注目されている。すなわち、銭湯などでは、浴槽内を塩素で消毒することができ、サウナの場合は、高温（９０度）で乾燥状態であることから細菌が死滅してしまうため、問題ないが、この岩盤浴では、温度４０度程度、湿度８０％程度の状態であり、この環境は、カビや細菌の繁殖には最適な条件となっている。
【００１１】
勿論、各岩盤浴施設においては、管理基準が設けられており、保健所などの指導も行なわれており、毎日１回以上の清掃、月に１回以上の消毒などが自主的に実施されている。
【００１２】
しかしながら、上記のような温度と湿度環境を特徴とし、岩盤上に浴衣で横になること、岩盤の表面は細かな凹凸を有し、洗い流すだけでは十分な洗浄ができないなどの問題があり、殺菌、抗菌対策が求められている。
【００１３】
上記の特開２００５−７３８００号公報では、排水手段を設け、岩盤浴に用いる砂利の水洗いが簡単にでき、かつ砂利層の下部に温風を流すことで、乾燥させるようにして衛生的に管理ができるものであるが、砂利の隙間などに髪の毛など、ごみが溜まりやすく、完全に清掃することは、水洗いだけでは困難である。また、岩盤表面の水洗いでは、表面に細かな凹凸があり、ブラシなどを用いても十分に細菌などを洗い流すことは困難である。
【００１４】
本発明はこのような問題を解決するためになされたもので、その目的は、岩盤浴装置及び岩盤浴施設内の床材や内装材において、殺菌、抗菌効果を有効に発揮させ、カビや細菌などの発生・増殖を抑えることを可能とする安全で衛生的な岩盤浴装置及び設備を提供することである。
【課題を解決するための手段】
【００１５】
前記の問題を解決するために、本発明の請求項１では、銀イオンが含有された床部が設けられていることを特徴とする岩盤浴装置としたものである。
【００１６】
該銀イオンは、空気中に銀イオンを放出する床部であればいずれでも良い。例えば、銀イオンを含有する塗料が塗布された床材や銀メッキした床材や銀合金による床材などでも良い。
【００１７】
また、本発明の請求項２では、前記の床部に銀イオンが担持された無機多孔質材が用いられていることを特徴とする岩盤浴装置である。
【００１８】
該無機多孔質材は、多孔質な無機材料であればいずれでも良く、軽石などの多孔質な天然鉱石やサンゴ化石、活性炭、シリカゲル、陶磁器材、セラミックス材、人工ゼオライトなどでも良く、これらに銀イオンによるイオン交換処理などで担持させたものが使用できる。
【００１９】
また、本発明の請求項３では、前記の床部に抗菌効果を有する鉱石が用いられていることを特徴とする岩盤浴装置である。
【００２０】
該抗菌効果を有する鉱石は、角尖石、花崗斑岩などの抗菌作用を有することが知られる鉱石などが使用できる。
【００２１】
また、本発明の請求項４では、オゾン発生装置を備えることを特徴とする岩盤浴装置である。
【００２２】
該オゾン発生装置は、オゾンを岩盤浴雰囲気中に発生させるものであればいずれでも良く、市販されるオーニック（株）製の業務用オゾン発生装置などでも良い。
【００２３】
オゾンによる殺菌は「溶菌」と呼ばれ、オゾンとたんぱく質が化学反応することで、細菌の細胞壁を破壊し、細胞が死滅し、繁殖を防止するものである。
【００２４】
オゾンは、その高い殺菌力から、院内感染予防として注目されており、さらに殺菌力だけではなく、高い消臭効果も知られている。
【００２５】
また、本発明の請求項５では、マイナスイオン発生装置を備えることを特徴とする岩盤浴装置である。
【００２６】
該マイナスイオン発生装置は、マイナスイオンを岩盤浴雰囲気中に発生させるものであればいずれでも良く、市販されるイーエステクノ社製活性マイナスイオン生成器などでも良い。
【００２７】
マイナスイオンは、空気清浄効果や除菌効果などがあることが知られている。空気中の細菌類を除菌することができる。空気中に分散したカビやゴミなどをキャッチして包み、その重さで床に落下させ、細菌やカビ（悪玉菌）の細胞表面で電気的に斥力状態（エネルギーが反発）となり、外部から栄養素を取り込めなくさせることにより、繁殖を抑制するものである。
【００２８】
また、上記のオゾンとマイナスイオンとを同時に発生するマイナスイオン・オゾン発生装置などでも良く、例えば、有限会社アイ・テクノス社のイオン・オゾン脱臭除菌装置や、有限会社陽生企画社の空気浄化・活性機などが使用できる。
【００２９】
また、本発明の請求項６では、カプセル形状であることを特徴とする岩盤浴装置である。
【００３０】
該カプセル形状は、岩盤浴の入浴者の頭部以外をすっぽり収納できる形状であり、入浴者が仰向けに寝る寝台部と、入浴者の上部を覆うドーム部で構成されるものであり、寝台部上面とドーム部内面に、温熱手段が設けられており、入浴者が容易に出入りが可能であればいずれでも良く、寝台部とドーム部には銀イオンが含有されており、マイナスイオンやオゾン発生装置が内設されたものである。
【発明の効果】
【００３１】
本発明の岩盤浴装置は、以下のような効果を奏する。
【００３２】
１）岩盤浴雰囲気中に銀イオンを発生させることができる。
【００３３】
２）銀イオンの発生により、抗菌・殺菌効果を発揮する岩盤浴装置とすることができる。
【００３４】
３）銀イオンを発生する岩盤となり、岩盤自体が抗菌効果を有する。
【００３５】
４）岩盤浴施設の内装材を抗菌性を有する内装材とすることができる。
【００３６】
５）銀イオンを無機多孔質材に担持させるため、銀イオンの発生効率が良く、かつ、抗菌効果の持続性があり、長期にわたって銀イオンを確実に発生させることができる。
【００３７】
６）オゾン発生装置により、岩盤浴雰囲気中にオゾンを発生させ、殺菌・消臭効果を発揮させることができる。
【００３８】
７）マイナスイオン発生装置により、岩盤浴雰囲気中にマイナスイオンを発生させ、清浄・癒し・殺菌効果を発揮させることができる。
【００３９】
８）岩盤浴装置をカプセル形状をすることで、移動可能で省スペースで設置を可能とする、コンパクトで効果的な抗菌、殺菌効果を有する岩盤浴装置を提供できる。
【発明を実施するための最良の形態】
【００４０】
次に本発明を実施するための最良の形態について図面を参照して説明する。
【００４１】
図１は本発明による岩盤浴装置の床部の一例を示す図である。
【００４２】
本実施に示す岩盤浴装置は、図１に示したように、床部１は、無機多孔質材に銀イオンを担持した岩盤が用いられている。その中央部の入浴者が横たわる部分２は、遠赤外線を有効に発生する鉱石による板材が設置されている。
【００４３】
該無機多孔質材は、石炭灰などから製造された人工ゼオライトなどが使用でき、銀イオンを担持させたものを床材として板状に成形したものであり、（株）ヘルスクリーン社の銀イオン人工ゼオライトを用いた人工大理石を用いた。
【００４４】
また、中央の遠赤外線発生板材２は、ゲルマニウム鉱石やハイルシュトレンストーンなどの遠赤外線発生鉱石粉末に銀イオンを含有させて成形した板材である。
【００４５】
該ハイルシュトレンストーンは、オーストリアの世界的な保養地「バドガスタイン地方」で採れる、効能優れた世界でも有数の鉱石であり、この鉱石を含有する鉱山の跡地を利用した岩盤浴が健康回復に活用されていることで知られており、また、大量のマイナスイオンを発生することも知られている。
【００４６】
本実施例の岩盤には、銀イオンが含有されているため、岩盤そのものが殺菌力を有することとなる。
【００４７】
岩盤浴では、温度が４０度、湿度が８０％程度となり、人体の汗が多量に存在する環境であるため、細菌類にとっては、絶好の増殖環境となる。
【００４８】
東京の一部地域での調査結果において、岩盤浴施設の浴室の石の上を採取したところ、１平方センチメートル当たり２４ＣＦＵ（コロニー）の真菌類が検出されたとの結果が報告されている。これは、一般家庭のフローリング床で検出される数（通常０．１ＣＦＵ／ｃｍ2）の実に２４０倍である。
【００４９】
これらの岩盤浴に対する安全性については、以前より各方面からの指摘があり、公衆浴場法の中の「その他の公衆浴場」に位置し、厚生労働省の衛生基準として毎日清掃し、一月に１回以上の消毒が指導されているが、業界の自主基準に委ねられている状況である。
【００５０】
本発明では、銀イオンを床部に含有させることで、床部そのものに抗菌作用、殺菌作用を発揮させるものである。銀イオンは、水の分子と反応して強力な殺菌作用を発揮するものであり、人体からの大量の汗の中に銀イオンが溶け出し、殺菌作用を発揮するものである。
【００５１】
銀イオンの殺菌力については、医療分野でも取り上げられており、各種の報告が示されており（化繊日報：１９９３年４月号など）、耐性を生じにくく、揮発性が無い、微量で効果を発揮する、食品添加物であり安全であるなど、抗菌材として優れた特性を持っていることが知られている。
【００５２】
銀イオンを水溶液に溶かしてスプレーして使用する殺菌スプレーなどが広く普及している。また、砂に混ぜて抗菌砂なども開発されている。大腸菌に対して銀イオン溶液をスプレーし、３０分で死滅した例も報告されている。さらに、消臭効果も高いことが知られている。
【００５３】
この銀イオンを担持させた無機多孔質材を用いた床材とすることで、銀イオンを十分に含有させることができるとともに、多孔質により、銀イオンを水分子と効果的に反応させることができ、抗菌・殺菌効果の高い岩盤を実現できるものである。
【００５４】
図２は本発明による岩盤浴装置の床部構造の一例を示す図である。
【００５５】
該床部１は、図に示すように、上層部１ａは、銀イオンを含有する遠赤外線発生板材２と、銀イオン人工大理石３とからなる温熱層と、その下層部１ｂとして、加熱手段となる電熱ヒーター４が配置されたコンクリート層５とから構成される。
【００５６】
電熱ヒーター４の加熱により、上層部１ａの遠赤外線発生板材２が加熱され、発熱とともに遠赤外線を発生させ、入浴者６は、身体の内部から温められる。
【００５７】
また、遠赤外線の中でも８〜１４ミクロンのものは、皮膚に対する刺激性が少なく、人の身体を最も効率よく温め、生理的にも精神的にも効果があることが知られており、この波長の遠赤外線は特に「成長光線」と呼ばれている。近年、アメリカのＮＡＳＡの調査によって、この「遠赤外線」が自律神経及び内分泌系に穏やかに作用し、あらゆる生体の代謝・成長・育成に不可欠な波長であることが報告されている。
【００５８】
この遠赤外線効果により、身体を穏やかに温めるとともに、身体の細胞を活性化して血流やリンパの流れを促進し、血中やリンパに含まれる酸素をより多く身体中に送り込んでくれる働きを有するものである。
【００５９】
入浴者６は、上層部１ａの遠赤外線発生板材２の上部に、浴衣のまま、仰向けに寝て、利用する。４０度程度に温められた遠赤外線板材からの遠赤外線により、体の芯から温まり、数分で発汗が始まる。サウナなどとは異なり、高温ではないので、２０〜３０分程度利用しても、ふらふらになったり、熱すぎたりすることはなく、かつ、大量に汗をかくことができる。
【００６０】
また、銀イオンを十分に含有する床部が構成されているため、強力な抗菌効果を有する床部となっており、大量に発生した汗による細菌類の問題はなく、安全な岩盤浴を実現できる。
【００６１】
図３は本発明によるカプセルタイプの岩盤浴装置の一例を示す図である。
【００６２】
中空の卵型カプセル容器１０の先端部１１が開口しており、上部のカバー部１２をオープンして入浴者が頭部を開口部から外に出した状態で下部の寝台部１３に横たわり、カバー部１２を閉じて使用する。
【００６３】
カバー部１２の内面には、銀イオンが担持された無機多孔質粉末が塗布されており、ラジウム鉱石板が貼り付けられている。同様に、下部の寝台部１３上面には、銀イオンが担持された無機多孔質粉末を含有する樹脂板の上にラジウム鉱石板が貼り付けられている。  
【００６４】
該ラジウム鉱石板には内部には、電熱ヒーターが設けられており、各々ラジウム鉱石板を加熱できるようになっている。また、寝台部１３は銀イオンを含有するコンクリート製寝台部としても良い。
【００６５】
カプセル容器内で遠赤外線を発生させて身体を芯から温め、発汗を促進するとともに、銀イオンにより、カプセル内面全体が抗菌・殺菌効果を発揮する。
【００６６】
また、上部カバー部１２の開口部には温熱を逃がさないための断熱カーテン１４が設けられている。
【００６７】
また、カプセル容器の内部の足元には、マイナスイオン・オゾン発生装置１５が設置されている。これにより、カプセル内雰囲気中の殺菌、消臭が行なわれる。
【００６８】
本実施例のカプセルタイプの岩盤浴装置とすると、設置台数を変更することで設置スペースを自由に設定することができ、かつ移動して設置が可能であり、設置作業が容易となる。また、個室の感覚で使用でき、プライバシーも十分に確保され、温熱効果とともにリラックス・癒し効果も期待できる。
図４は、本発明による岩盤浴装置のシステム構成を示す図である。
【００６９】
前記に示す、銀イオンを発生する材料を用いた内装材（天井２０、壁２１、床２２）で構成される岩盤浴室内に適時配置された岩盤床２３が設けられ、岩盤浴室内の壁面にマイナスイオン・オゾン発生装置２４が配置されている。また、各岩盤床の仕切板２５にも銀イオンを担持させたパネルを用いた。
【００７０】
入浴者は、岩盤床２３に仰向けに寝て発汗を促す。ここで、岩盤は銀イオンを含有するため、強力な抗菌作用があり、発汗による細菌などの繁殖を防止できる。
【００７１】
また、通常の岩盤浴施設においては、岩盤床面の毎日の清掃、及び月に１度の消毒は行なわれるが、壁や天井などの清掃、消毒は困難である。
【００７２】
本実施例では、岩盤浴施設内の雰囲気中の細菌などにおいても、マイナスイオン・オゾン発生装置２４により、除菌され、また、天井２０や壁２１に蒸気ともに付着する細菌などにおいても、同様に銀イオンの殺菌作用により除菌される。
【００７３】
このように、温度４０度、湿度８０度という、カビや細菌の繁殖に適した雰囲気中であっても、十分な抗菌、殺菌効果を発揮することができ、安全で衛生的な岩盤浴装置を実現できるものである。
【図面の簡単な説明】
【００７４】
【図１】本発明の岩盤浴装置の床部の実施例を示す図である。
【図２】本発明の岩盤浴装置の床部構造の実施例を示す図である。
【図３】本発明のカプセル形状の岩盤浴装置の実施例を示す図である。
【図４】本発明による岩盤浴装置のシステム構成を示す図である。
【符号の説明】
【００７５】
１  床部
２  遠赤外線発生板材（銀イオン含有）
３  銀イオン人工大理石
４  電熱ヒーター
５  コンクリート層
６  入浴者
１０  カプセルタイプ岩盤浴装置
１１  開口部
１２  カバー部
１３  寝台部
１４  断熱カーテン
１５  マイナスイオン・オゾン発生装置
２０  天井
２１  壁
２２  床
２３  岩盤床
２４  マイナスイオン・オゾン発生装置
２５  仕切板
【図１】
2008131982.tif 000003
【図２】
2008131982.tif 000004
【図３】
2008131982.tif 000005
【図４】
2008131982.tif 000006